(57)【特許請求の範囲】
【請求項１】
図柄組合せ演出を行う表示装置が配設される本体の前側に開閉可能に配設された前側部材を備えた遊技機において、
前記前側部材に配設され、表示演出を表示する表示部を備えた演出表示装置を備え、
前記前側部材には、
指先操作が可能であると共に裏側を透視可能に構成された手動操作手段を、演出表示装置の前側に重なる状態で着脱可能な第１取付手段と、
前記手動操作手段に対する指先操作が可能に構成された第１の前面ユニット部材、または該手動操作手段に対する指先操作を不可能に構成された第２の前面ユニット部材の何れか一方を選択的に着脱可能な第２取付手段とが設けられ、
前記手動操作手段を前記第１取付手段により前側部材に取り付けると共に、前記第１の前面ユニット部材を前記第２取付手段により前側部材に取り付けることで、前記演出表示装置の表示部の表示と前記手動操作手段の指先操作とを連動させた演出を実行可能に構成し得ると共に、
前記第２の前面ユニット部材を前記第２取付手段により前側部材に取り付けることで、前記演出表示装置の表示部のみの演出を実行可能に構成し得ると共に、
前記第２の前面ユニット部材は、前面に透明または半透明な前面板部を備え、前記前面板部と前記演出表示装置の前面との間に、前記表示装置の図柄組合せ演出に連動した演出を行う演出装置が配設可能に構成されている
ことを特徴とする遊技機。
【発明の詳細な説明】
【技術分野】
【０００１】
この発明は、図柄組合せ演出を行う表示装置が配設される本体の前側に開閉可能に配設された前側部材を備えた遊技機に関するものである。
【背景技術】
【０００２】
パチンコ機やスロットマシン等の遊技機は、図柄組合せ演出が行われる表示体を備えた表示装置や各種装置が収容または取り付けられる本体と、該本体の前側に開閉可能に取り付けられた前側部材とを備えている。前側部材には、表示装置の前側部分に、該表示装置を視認可能に構成された前面ユニット部材が、該前側部材に着脱可能に配設されている。このような遊技機では、パチンコ機においては遊技媒体であるパチンコ球が入賞口に入賞した条件に基づき、またスロットマシンでは遊技媒体であるメダルを投入してスタートレバーを操作した条件に基づき、表示装置の表示体において図柄組合せ演出が行われ、特定の図柄組合せが成立した際には遊技者に有利な特定の遊技条件が成立するようになっている。このような遊技機は、特許文献１に開示されている。
【０００３】
また遊技機では、指先操作が可能な手動操作手段(例えば、タッチパネルやボタン等)を備えて、遊技者が遊技中の適宜タイミングで該手動操作手段を操作可能に構成されたものがある。
【先行技術文献】
【特許文献】
【０００４】
【特許文献１】特開２００３−２６０１７２号公報
【発明の概要】
【発明が解決しようとする課題】
【０００５】
従来の遊技機では、手動操作手段を備えた(手動操作機能を有する)遊技機と該手動操作手段を備えない(手動操作機能を有さない)遊技機とは、夫々が専用に設計されているものが多い。このため、手動操作手段を備えた遊技機から該手動操作手段を備えない遊技機への変更や、手動操作手段を備えない遊技機から該手動操作手段を備えた遊技機への変更を容易に行うことができず、手動操作機能の有無に伴う遊技態様が異なる遊技機への変更を行い難い課題がある。
【０００６】
そこで本発明は、前述した課題を解決するために案出されたものであって、手動操作機能の有無に伴う遊技態様の変更を容易に行い得る遊技機を提供することを目的とする。
【課題を解決するための手段】
【０００７】
前記課題を克服し、所期の目的を達成するため、本願の請求項１に係る発明は、
図柄組合せ演出を行う表示装置(200)が配設される本体(12)の前側に開閉可能に配設された前側部材(14)を備えた遊技機において、
前記前側部材(14)に配設され、表示演出を表示する表示部(77)を備えた演出表示装置(75)を備え、
前記前側部材(14)には、
指先操作が可能であると共に裏側を透視可能に構成された手動操作手段(90)を、演出表示装置(75)の前側に重なる状態で着脱可能な第１取付手段(100)と、
前記手動操作手段(90)に対する指先操作が可能に構成された第１の前面ユニット部材(110)、または該手動操作手段(90)に対する指先操作を不可能に構成された第２の前面ユニット部材(120)の何れか一方を選択的に着脱可能な第２取付手段(101)とが設けられ、
前記手動操作手段(90)を前記第１取付手段(100)により前側部材(14)に取り付けると共に、前記第１の前面ユニット部材(110)を前記第２取付手段(101)により前側部材(14)に取り付けることで、前記演出表示装置(75)の表示部(77)の表示と前記手動操作手段(90)の指先操作とを連動させた演出を実行可能に構成し得ると共に、
前記第２の前面ユニット部材(120)を前記第２取付手段(101)により前側部材(14)に取り付けることで、前記演出表示装置(75)の表示部(77)のみの演出を実行可能に構成し得ると共に、
前記第２の前面ユニット部材(120)は、前面に透明または半透明な前面板部(127)を備え、前記前面板部(127)と前記演出表示装置(75)の前面との間に、前記表示装置(200)の図柄組合せ演出に連動した演出を行う演出装置(150,180)が配設可能に構成されていることを要旨とする。
【０００８】
請求項１に係る発明によれば、演出表示装置が配設される前側部材に、手動操作手段および第１の前面ユニット部材を第１取付手段および第２取付け手段により夫々取り付けることで、演出表示装置の表示部の演出と手動操作手段の指先操作とを連動させた演出を実行可能に構成し得る遊技機として構成し得ると共に、演出表示装置が配設される前側部材に、第２の前面ユニット部材を第２取付手段により取り付けることで、演出表示装置の表示部のみの演出を実行可能な遊技機として構成し得る。そして、手動操作手段を有する遊技機は、手動操作手段および第１の前面ユニット部材を前側部材から取り外して、第２の前面ユニット部材を第２取付手段により前側部材に取り付けることで、演出表示装置の表示部のみの演出を実行可能な遊技機へ容易に変更し得る。また、手動操作手段を有さない遊技機は、第２の前面ユニット部材を前側部材から取り外し、手動操作手段および第１の前面ユニット部材を第１取付手段および第２取付手段により前側部材に取り付けることで、演出表示装置の表示部の演出と手動操作手段の指先操作とを連動させた演出を実行可能な遊技機へ容易に変更し得る。
また、演出表示装置の前面と第２の前面ユニット部材の前面板部との間に演出装置が配設可能となっているので、該第２の前面ユニット部材が配設される手動操作機能を有さない遊技機においては、表示装置の図柄組合せ演出に連動した演出が演出装置により行われ、演出効果の向上が図られる。
【００１０】
また、本願には次のような技術的思想が含まれている。
前記第２の前面ユニット部材(120)は、前記演出装置(150,180)を収容可能な収容部(128)が、前面板部(127)の後側に画成され、
前記収容部(128)に収容した状態で前記第２の前面ユニット部材(120)に取り付けた前記演出装置(150,180)が、前記前面板部(127)を介して透視可能であり、
前記演出装置(150,180)を取り付けた前記第２の前面ユニット部材(120)が、前記前側部材(14)に対し前側から着脱可能に構成されていることを要旨とする。
この構成によれば、第２の前面ユニット部材は、演出装置を収容部に収容して取り付けたた状態で前側部材に対し着脱可能に構成されているので、前側部材に対する第２の前面ユニット部材の着脱および演出装置の着脱を同時に行うことができるので、遊技機の変更作業を効率よく行うことができる。そして、演出装置が第２の前面ユニット部材における透明または半透明な前面板部の後側を配設されるので、迫力ある演出が行われて演出効果を高めることができる。
【００１１】
また、本願には次のような技術的思想が含まれている。
前記演出装置(150,180)は、移動可能な可動体(152,153,182)を備え、
前記収容部(128)は、前記第２の前面ユニット部材(120)の後端より前側において、前記可動体(152,153,182)の移動が可能な形状に画成されていることを要旨とする。
この構成によれば、収容部内に配設した演出装置の可動体を前面板部に近接した位置を移動するので、演出効果を高めることができる。
【００１２】
また、本願には次のような技術的思想が含まれている。
前記収容部(128)は、前記演出表示装置(75)における表示部(77)の前側に画成されており、
前記演出装置(150,180)の可動体(152,153,182)が前記表示部(77)の前側まで移動するよう構成されたことを要旨とする。
この構成によれば、演出装置の可動体が演出表示装置の表示部の前方まで移動するので、表示部での演出表示と可動体の移動とを関連させた演出が可能となり、演出効果を向上させ得る。また、表示部の前方を可動体が移動するので、立体感がある演出を行うことができる。
【００１３】
また、本願には次のような技術的思想が含まれている。
前記前面板部(127)は、前記表示装置(200)と前後に重なるように配設されていることを要旨とする。
この構成によれば、第２の前面ユニット部材は、前面板部が表示装置の前側に位置する大きなサイズに形成されるので、第２の前面ユニット部材が遊技機の前側に広く露出して装飾効果を高めることができる。
【発明の効果】
【００１４】
本発明に係る遊技機によれば、手動操作機能の有無に伴う遊技態様の変更を容易に行うことができる。
【図面の簡単な説明】
【００１５】
【図１】第２の前面ユニット部材を装着した実施例のスロットマシンの正面図である。
【図２】図１のＸ１−Ｘ１線断面図である。
【図３】前方右斜め上方から見たスロットマシンの分解斜視図である。
【図４】演出表示装置および前面パネル部材を取り付けた前枠体の背面図である。
【図５】図４のＸ２−Ｘ２線で破断した第２仕様のスロットマシンの部分断面図である。
【図６】前枠体と、ガラス板、タッチパネルおよび該タッチパネルをガラス板と共に前枠体に取り付ける第１取付手段とを分離させた状態を、前方右斜め上方から見た斜視図である。
【図７】タッチパネルをガラス板と共に前枠体に取り付け可能な第１取付手段の構成を示す部分斜視図である。
【図８】前枠体と演出表示装置とを分離した状態を、後方左斜め上方から見た斜視図である。
【図９】第２装飾体を省略して示す第２の前面ユニット部材の第２支持体と演出表示装置を取り付けた前枠体とを、分離した状態で後方左斜め上方から見た斜視図である。
【図１０】第１の前面ユニット部材を装着した実施例のスロットマシンの縦断側面図である。
【図１１】図４のＸ２−Ｘ２線で破断した第１仕様のスロットマシンの部分断面図である。
【図１２】タッチパネルを装備した第１仕様のスロットマシンを構成する第１の前面ユニット部材を、第１支持体および第１装飾体を分離した状態で前方右斜め上方から見た斜視図である。
【図１３】タッチパネルを装備した第１仕様のスロットマシンを構成する第１の前面ユニット部材を、第１支持体および第１装飾体を分離した状態で後方左斜め上方から見た斜視図である。
【図１４】第１装飾体を省略して示す第１の前面ユニット部材の第１支持体と演出表示装置を取り付けた前枠体とを、分離した状態で後方左斜め上方から見た斜視図である。
【発明を実施するための形態】
【００１６】
次に、本発明に係る遊技機につき、好適な実施例を挙げて、添付図面を参照しながら以下詳細に説明する。なお実施例では、遊技機としてスロットマシン１０を例にして説明する。また、以下の説明において、「前」、「後」、「左」、「右」とは、特に断りのない限り、図１に示すようにスロットマシン１０を前側(遊技者側)から見た状態で指称する。
【実施例】
【００１７】
(スロットマシンの概略構成)
実施例のスロットマシン１０は、図１〜図３に示すように、前方に開口する矩形箱状に形成されて遊技店の図示しない設置枠台に縦置き姿勢で設置される本体としての筐体１２と、該筐体１２の前側に開閉可能に取り付けられた前側部材としての前面扉１４とを備えている。前面扉１４は、第２の前面ユニット部材(前面ユニット部材)１２０、前面パネル部材５５、演出表示装置７５等が配設され、該前面扉１４を筐体１２へ閉状態(図２参照)とすることで、該筐体１２の前側開口が塞がれるようになっている。また、前面扉１４の後側には、筐体１２に開閉可能に取り付けられた支持枠体１６を備えている。支持枠体１６には、図柄表示装置(表示装置)２００や制御装置２１０等が搭載され、該支持枠体１６を筐体１２へ閉状態(図２参照)とすることで、図柄表示装置２００、制御装置２１０等が筐体１２内に収容されるようになっている。また、筐体１２内には、メダルを払い出すホッパー装置１８や電源ユニット１９等が配設されている。
【００１８】
(筐体)
筐体１２は、図２および図３に示すように、底板１２ａ、左右の側板１２ｂ,１２ｃ、天板１２ｄおよび後板１２ｅを備え、前側が開口する箱状の部材に形成されている。天板１２ｄは、底板１２ａより前後幅が小さく、左側板１２ｂおよび右側板１２ｃは、下縁部の前後幅が底板１２ａの前後幅と同じに設定されると共に上縁部の前後幅が天板１２ｄの前後幅と同じに設定されて、該左側板１２ｂおよび右側板１２ｃの前縁は上方に行くにつれて後方へ傾斜している。底板１２ａ、左右の側板１２ｂ,１２ｃ、天板１２ｄおよび後板１２ｅには、スリット状の貫通口が適宜位置に複数形成されており、筐体１２内の換気を行い得るようになっている。また、底板１２ａ、左右の側板１２ｂ,１２ｃ、天板１２ｄおよび後板１２ｅの内側には薄い金属板２０が配設されており、筐体１２内に収容された装置や機器が電磁波等の影響を受け難く構成されている。
【００１９】
(ヒンジ支持部材)
筐体１２には、図３に示すように、前面扉１４および支持枠体１６を回転可能に支持するヒンジ支持部材２１が、左側板１２ｂの内面における前縁に沿う部位に設けられている。ヒンジ支持部材２１は、前面扉１４および支持枠体１６を共通に支持する第１ヒンジ支持部２２と、前面扉１４を支持する第２ヒンジ支持部２３と、支持枠体１６を支持する第３ヒンジ支持部２４とからなる。第１ヒンジ支持部２２は、筐体１２の上部に設けられ、前面扉１４および支持枠体１６の左側端縁を回動自在に片持支持可能となっている。第２ヒンジ支持部２３は、筐体１２の下部に設けられ、前面扉１４を回動自在に片持支持可能となっている。第３ヒンジ支持部２４は、第１ヒンジ支持部２２と第２ヒンジ支持部２３との間に設けられ、支持枠体１６を回動自在に片持支持可能となっている。第１ヒンジ支持部２２、第２ヒンジ支持部２３および第３ヒンジ支持部２４は、上方に向けて突出した支持ピンを夫々が備えている。
【００２０】
筐体１２には、図３に示すように、右前端縁の内側(右側板１２ｃの前端縁内側)に、前面扉１４を閉状態にロックするロック部材２５が設けられている。また、筐体１２における右前端縁の内側に、支持枠体１６を閉状態にロックするロック部材(図示省略)が設けられている。
【００２１】
(支持枠体)
支持枠体１６は、図２〜図３に示すように、図柄表示装置２００、制御装置２１０およびその他の構成部材や部品が取り付けられるよう構成されている。支持枠体１６は、左右に離間して配置され、上下方向に延在する左枠部材３０および右枠部材３１と、左枠部材３０および右枠部材３１の下部に固定された下枠部材３２と、左枠部材３０の上部後側および右枠部材３１の上部後側に固定される上枠部材３３とを備えている。左枠部材３０の下部後側および右枠部材３１の下部後側には図柄表示装置２００が固定され、下枠部材３２と上枠部材３３との間に図柄表示装置２００が保持されるようになっている。また、上枠部材３３は、上方から見て後方へ突出したコ字形に構成されており、制御装置２１０をなすメイン制御装置２１１およびサブ制御装置２１２が前後に重なった状態で固定されるようになっている。
【００２２】
(連結部材および係止部材)
支持枠体１６の左枠部材３０には、図３に示すように、筐体１２に設けられた前述のヒンジ支持部材２１における第１ヒンジ支持部２２および第３ヒンジ支持部２４の各支持ピンが嵌合するヒンジ連結部３４,３４が設けられている。これにより支持枠体１６は、第１ヒンジ支持部２２および第３ヒンジ支持部２４にヒンジ連結部３４,３４が連結されることで、筐体１２に対して回転可能に配設され、該筐体１２の前側開口に収容された閉状態(図２参照)および筐体１２から前方へ延出した開状態とに姿勢変位するようになっている。また、支持枠体１６の右枠部材３１には、図３に示すように、該支持枠体１６の閉状態時に、筐体１２に設けられたロック部材(図示せず)に係脱可能に係止する係止部材３５が設けられている。これにより支持枠体１６は、係止部材３５がロック部材に係止することで閉状態に姿勢保持され、図柄表示装置２００、制御装置２１０をなすメイン制御装置２１１およびサブ制御装置２１２等を筐体１２内に保持する。
【００２３】
(図柄表示装置について)
図柄表示装置２００は、図２〜図３に示すように、第１〜第３リールユニット２０１,２０２,２０３を、前側が開口したユニットケース２０４内に横並びに収容してユニット化されている。ユニットケース２０４には、支持枠体１６に固定するための固定部が設けられており、図柄表示装置２００は、ユニットケース２０４の前側開口を支持枠体１６に整合させた状態で該支持枠体１６に取り付けられる。第１〜第３リールユニット２０１,２０２,２０３は、図２に示すように、駆動基板２０５と、駆動基板２０５に配設されたステッピングモータであるリール駆動モータ２０６と、図示省略した複数の図柄が周囲に配置され、リール駆動モータ２０６により回転されるリール２０７と、リール２０７の内側に配設されて図柄を内側から照明する照明装置２０８等を備えている。このような図柄表示装置２００は、前面パネル部材５５に配設されたスタートレバー６３(図１参照)が操作されると、第１〜第３リールユニット２０１,２０２,２０３の各リール２０７,２０７,２０７が回転を開始されるよう制御される。また、図柄表示装置２００は、前面パネル部材５５に配設された第１ストップボタン６４(図１参照)の押圧操作に基づいて第１リールユニット２０１のリール２０７を停止させ、第２ストップボタン６５の押圧操作に基づいて第２リールユニット２０２のリール２０７を停止させ、第３ストップボタン６６の押圧操作に基づいて第３リールユニット２０３のリール２０７を停止させるよう制御される。
【００２４】
(制御装置について)
制御装置２１０は、支持枠体１６に対して、図柄表示装置２００の配設位置より上側に配設されている。この制御装置２１０は、支持枠体１６の上枠部材３３に配設されたメイン制御装置２１１およびサブ制御装置２１２から構成される。実施例では、上枠部材３３の後面側にメイン制御装置２１１が取り付けられると共に、該上枠部材３３の内側にサブ制御装置２１２が収納状態で取り付けられている。メイン制御装置２１１には、前面パネル部材５５に設けられた１ベットボタン６０およびＭＡＸベットボタン６１、スタートレバー６３、第１〜第３ストップボタン６４,６５,６６、そして第１〜第３リールユニット２０１,２０２,２０３の駆動モータ２０６やホッパー装置１８等が接続されている。なお、１ベットボタン６０、ＭＡＸベットボタン６１、スタートレバー６３、第１〜第３ストップボタン６４,６５,６６は、該１ベットボタン６０、ＭＡＸベットボタン６１、スタートレバー６３、第１〜第３ストップボタン６４,６５,６６が操作された際に操作信号を出力するスイッチを備えている。そして、メイン制御装置２１１は、１ベットボタン６０、ＭＡＸベットボタン６１、スタートレバー６３、第１〜第３ストップボタン６４,６５,６６等からの操作信号の入力に基づいて、第１〜第３リールユニット２０１,２０２,２０３の動作制御および入賞役抽選等の、主としてスロットマシン１０の遊技に関する各種制御を行うよう構成されている。これに対してサブ制御装置２１２には、演出表示装置７５、照明装置６８を含む各種照明装置、スピーカ７０、第１可動演出装置(可動演出装置)１５０および第２可動演出装置(可動演出装置)１８０を含む各種演出装置等が接続されている。そして、サブ制御装置２１２は、遊技の進行に応じた画像や動画等の選択、演出表示装置７５の表示部７７での表示態様、照明装置６８の発光態様、第１および第２可動演出装置１５０,１８０を含む演出装置の動作態様およびスピーカ７０の音出力態様等に関する、主にスロットマシン１０における遊技の演出に関する各種制御を行うよう構成されている。
【００２５】
(前面扉)
前面扉１４は、図２〜図４に示すように、筐体１２の前側開口の外周縁に整合する形状の前枠体１５を備えている。前枠体１５は、左右方向に延在する下枠部材４０と、上下方向に延在して下枠部材４０の左端に下端が連結される左枠部材４１と、上下方向に延在して下枠部材４０の右端に下端が連結される右枠部材４２と、左右方向に延在して左枠部材４１の上端および右枠部材４２の上端に左端および右端が夫々連結される上枠部材４３とにより枠状に構成される。また、前枠体１５には、上枠部材４３と下枠部材４０との間に、左右に延在する中枠部材４４が、その左端が左枠部材４１の上下中間部に連結されると共に右端が右枠部材４２の上下中間部に連結された状態で設けられている。ここで、前枠体１５における上下略中央から上側部分が第１設置部４５であり、該前枠体１５における上下略中央から下側部分が第２設置部４６となっている。第１設置部４５には、演出表示装置７５が着脱可能に取り付けられると共に(図８参照)、後述する第１の前面ユニット部材１１０または第２の前面ユニット部材１２０が選択的に着脱可能に取り付けられると共に(図９、図１４参照)、手動操作手段としてのタッチパネル９０を着脱可能に取り付け得るようになっている(図６参照)。第２設置部４６には、前面パネル部材５５が取り付けられるようになっている。また、前枠体１５において、左枠部材４１、右枠部材４２、上枠部材４３および中枠部材４４で囲まれた開口に、該開口に整合する透明なガラス板４９が取り付けられている(図２、図３参照)。
【００２６】
(連結部材およびロック機構)
前面扉１４の左枠部材４１には、図４に示すように、筐体１２に設けられた前述のヒンジ支持部材２１における第１ヒンジ支持部２２および第２ヒンジ支持部２３の各支持ピンが嵌合するヒンジ連結部４７,４７が設けられている。これにより前面扉１４は、第１ヒンジ支持部２２および第２ヒンジ支持部２３にヒンジ連結部４７,４７が連結されることで筐体１２に対して回転可能に配設され、該前面扉１４は、該筐体１２の前側開口に前枠体１５が整合した閉状態(図２参照)および筐体１２から前方へ延出した開状態とに姿勢変位するようになっている。また、前面扉１４の右枠部材４２には、図４に示すように、該前面扉１４の閉状態時に、筐体１２に設けられた前述のロック部材２５に係脱可能な係止部を備えたロック機構４８が設けられている。これにより前面扉１４は、ロック機構４８の係止部がロック部材２５に係止することで、閉状態に姿勢保持されるようになっている。なお、ロック機構４８は、開閉鍵による操作により、係止部とロック部材２５との係止を解除可能に構成されている。
【００２７】
(前面パネル部材)
前面パネル部材５５は、図１〜図３に示すように、前方へ膨出した形状に構成されている。前面パネル部材５５は、上部に設けれた操作パネル部５６と、該操作パネル部５６の下側に設けられた装飾パネル部５７と、装飾パネル部５７の下側に設けられた受け皿５８とを備えている。操作パネル部５６の上面には、遊技媒体であるメダルを投入するメダル投入口５９と、クレジットメダルを用いて遊技状態に応じて定められた規定の投入数のうち最大投入数(実施例では３枚)を投入する際に操作されるＭＡＸベットボタン６１と、遊技中の適時に操作可能なチャンスボタン６２と、精算スイッチ７１等が配設されている。また、１枚のクレジットメダルを投入する際に操作される１ベットボタン６０が、操作パネル部５６の前面左側に設けられている。また、操作パネル部５６の前面には、図柄表示装置２００における第１〜第３リールユニット２０１,２０２,２０３のリール２０７,２０７,２０７を回転させて遊技を開始する際に操作されるスタートレバー６３と、第１リールユニット２０１のリール２０７を停止させる際に操作される第１ストップボタン６４と、第２リールユニット２０２のリール２０７を停止させる際に操作される第２ストップボタン６５と、第３リールユニット２０３のリール２０７を停止させる際に操作される第３ストップボタン６６等が配設されている。
【００２８】
装飾パネル部５７には、透明または半透明な部材で透光性を有する装飾部材６７と、該装飾部材６７の後側に配設された照明装置６８と、受け皿５８の後方に配設されたスピーカ７０等によりユニット化されており、照明装置６８に設けられた発光ランプ６８ａが点灯・点滅することで、装飾部材６７が明輝されるようになっている。また、スピーカ７０,７０の間には排出口６９が設けられ、ホッパー装置１８から払い出されたメダルが、該排出口６９から受け皿５８に向けて払い出され得るようになっている。
【００２９】
実施例のスロットマシン１０では、メダル投入口５９にメダルを投入するか、１ベットボタン６０またはＭＡＸベットボタン６１が操作されると、メダルがベットされてスタートレバー６３が有効化されるようになっている。そして、有効化されたスタートレバー６３が操作されると、これに伴ってゲームが開始される。また、ゲームが開始されると、メイン制御装置２１１において入賞役に当選か否かを決定する入賞役抽選が実行されて複数種類の入賞役の何れかまたははずれが決定されると共に、第１〜第３リールユニット２０１,２０２,２０３の各リール２０７が回転を開始する。その後、各第１〜第３ストップボタン６４,６５,６６が有効化され、有効化された第１〜第３ストップボタン６４,６５,６６が操作されると、操作された第１〜第３ストップボタン６４,６５,６６に対応する第１〜第３リールユニット２０１,２０２,２０３のリール２０７の回転が停止される。そして、第１〜第３リールユニット２０１,２０２,２０３のリール２０７が全て停止することで１回のゲームが終了し、このゲームの結果、入賞役抽選で当選した入賞役が入賞(当選した入賞役に対応する図柄の組合わせが揃った場合)すると、入賞した入賞役に対応付けられた処理が実行されるようになっている。
【００３０】
ここで、前記入賞役としては、所定数のメダルが払い出される小役や、メダルをベットすることなくゲームを実行できるリプレイ役や、次回以降に特殊ゲームが開始されるボーナス役等、その他各種の入賞役が設定されている。
【００３１】
(ガラス板)
前枠体１５の第１設置部４５には、図５〜図７に示すように、第１設置部４５に、透明なガラス板４９が配設されている。ガラス板４９は、左枠部材４１、右枠部材４２、上枠部材４３および中枠部材４４で囲まれた開口領域全体を覆う矩形状に形成されており、後側に配設される演出表示装置７５を透視可能となっている。ガラス板４９は、前枠体１５に設けられたガラス設置部１４２に取り付けられ、該ガラス板４９の左縁部および右縁部を保持する後述する第１取付手段１００を構成する保持ブラケット１３１,１３１を利用して前枠体１５に配設される。ここで、ガラス設置部１４２は、前枠体１５の上枠部材４３の前面に配設された上台座部材１３４と、左枠部材４１と中枠部材４４との角部および右枠部材４２と中枠部材４４との角部に配設された下台座部材１３５,１３５に設けられ、該ガラス板４９の四隅の各角部を保持可能に構成されている(図６、図７参照)。
【００３２】
(保持ブラケットについて)
一方の保持ブラケット１３１は、ガラス板４９の前面左縁を前枠体１５に保持可能に構成され、他方の保持ブラケット１３１は、該ガラス板４９の前面右縁を前枠体１５に保持可能に構成されている。ガラス板４９の前面左縁を保持可能な保持ブラケット１３１(以降「左保持ブラケット」と指称する)およびガラス板４９の前面右縁を保持可能な保持ブラケット１３１(以降「右保持ブラケット」と指称する)は、互いに左右対称の形状に形成されると共に、個々は上下対称形状に形成されている。左右の保持ブラケット１３１,１３１は、ガラス板４９の上下寸法と同じ長さに形成されて該ガラス板４９の前面左縁または前面右縁に沿って上下方向へ延在する保持部１３２と、保持部１３２と一体に設けられて当該保持ブラケット１３１を前枠体１５に保持する取付部１３３とを備えている。
【００３３】
保持部１３２は、図７に示すように、ガラス板４９を前側から保持する第１保持片１３２ａと、該ガラス板４９の側端縁を保持する第２保持片１３２ｂとを備えている。また、左右の保持ブラケット１３１,１３１は、保持部１３２の上端から上方へ延出して前後に貫通するネジ挿通孔が形成された上取付片１３３ａと、保持部１３２の下端から下方へ延出して前後に貫通するネジ挿通孔が形成された下取付片１３３ｂと、保持部１３２から側方(左側の保持ブラケット１３１は左側方で、右側の保持ブラケット１３１は右側方)へ延出して後方へ開口するネジ締結孔が形成された中取付片１３３ｃとを取付部１３３として備えている。
【００３４】
また、図６および図７に示すように、前枠体１５の第１設置部４５には、左右の保持ブラケット１３１,１３１を着脱可能に取り付けるためのネジ締結部１３６およびネジ挿通孔１３７が設けられている。すなわち、前述した上台座部材１３４に、上取付片１３３ａのネジ挿通孔に整合するネジ締結孔が設けられたネジ締結部１３６が設けられると共に、前述した下台座部材１３５,１３５に、下取付片１３３ｂのネジ挿通孔に整合するネジ締結孔が設けられたネジ締結部１３６が設けられている。また、左枠部材４１および右枠部材４２に、中取付片１３３ｃのネジ締結孔に整合するネジ挿通孔１３７が設けられている。
【００３５】
従って、図６および図７に示すように、左側の保持ブラケット１３１および右側の保持ブラケット１３１は、上取付片１３３ａのネジ挿通孔および下取付片１３３ｂのネジ挿通孔に挿通した夫々の取付ネジ１３８を、対応するネジ締結部１３６,１３６に締結すると共に、ネジ挿通孔１３７に後側から挿通した取付ネジ１３８を、中取付片１３３ｃのネジ締結孔に締結することで、前枠体１５の左枠部材４１および右枠部材４２の前側に、上下方向が長手となる向きで取り付けられる。そして、左右の保持ブラケット１３１を前枠体１５へ取り付けることで、ガラス設置部１４２にセットしたガラス板４９の左縁部および右縁部が保持される。なお、実施例では、中取付片１３３ｃに前枠体１５の後側から締結する取付ネジ１３８は、第１または第２の前面ユニット部材１１０,１２０を該前枠体１５に取り付ける取付ネジ１４１と兼用されるようになっている(図９、図１４参照)。また、前枠体１５の左枠部材４１および右枠部材４２に夫々設けられた２つのネジ挿通孔１３７は、取付ネジ１４１が挿通されるネジ挿通孔１４０を兼用している(図４、図９、図１４参照)。
【００３６】
左右の保持ブラケット１３１,１３１は、図１１に示すように、ガラス設置部１４２にセットしたガラス板４９を該ガラス設置部１４２に保持することで、上台座部材１３４および各下台座部材１３５,１３５に設けられたパネル設置部１４３にセットしたタッチパネル９０を該パネル設置部１４３に保持可能となっている。また、左右の保持ブラケット１３１,１３１は、各取付ネジ１３８を取り外すことで、前枠体１５に取り付けた上台座部材１３４および下台座部材１３５から容易に取り外し可能となっており、ガラス設置部１４２に対するガラス板４９の着脱およびパネル設置部１４３に対するタッチパネル９０の着脱を容易に行い得るよう構成されている。
【００３７】
(タッチパネル)
手動操作手段としてのタッチパネル９０は、演出表示装置７５の前側に重ねて配設され、演出表示装置７５の表示部７７に表示されるボタンや画像等を指先で触る操作を行った際に、該指先が近接した部分を感知可能な位置入力装置である。実施のタッチパネル９０は、図６、図７および図１１に示すように、ガラス板４９の後側に配設されるようになっており、例えばマトリクス・スイッチ、抵抗膜方式、表面弾性波方式、赤外線方式、電磁誘導方式、静電容量方式等のタッチパネルが採用可能であり、実施例では、ガラス板４９越しでの指先の感知が可能な投影静電タイプが採用されている。タッチパネル９０は、ガラス板４９より一回り小さい外形をなす透明なシート状に形成されて、後側に配設された演出表示装置７５を透視可能である。また、タッチパネル９０は、演出表示装置７５の表示部７７に対応した位置に、指先の近接位置を感知可能な感知領域９１を備えている。
【００３８】
タッチパネル９０は、図６および図７に示すように、前枠体１５に取り付けられ上台座部材１３４および各下台座部材１３５,１３５に設けられた第１取付手段１００を構成するパネル設置部１４３に取り付けられ、ガラス設置部１４２に配設したガラス板４９を介して保持ブラケット１３１,１３１により前枠体１５に保持されるようになっている。ここで、タッチパネル９０は、実施例のスロットマシン１０を、指先操作が可能な仕様として構成する場合に前枠体１５に対して装着され、実施例のスロットマシン１０を、指先操作が不可能な仕様として構成する場合には、前枠体１５に対する配設を省略できる。なお、後述するように、指先操作が不可能な仕様のスロットマシン１０には、タッチパネル９０に対する指先操作が不可能に構成された図３に示す第２の前面ユニット部材１２０を前枠体１５に取り付けることで、例えば指先操作が可能な仕様から指先操作が不能な仕様へ変更する場合に、当該タッチパネル９０を前枠体１５に装着したままとしても指先操作が不可能な仕様として構成することが可能となっている。
【００３９】
(パネル設置部について)
パネル設置部１４３は、図５〜図７に示すように、上台座部材１３４および各下台座部材１３５,１３５に設けられ、該タッチパネル９０の四隅の各角部を保持可能となっている。パネル設置部１４３は、タッチパネル９０の外形サイズに合わせて、ガラス設置部１４２の内側において該ガラス設置部１４２に沿って設けられ、かつ該ガラス設置部１４２よりもタッチパネル９０の厚み分だけ後方へ段差をつけて形成されている(図６参照)。これにより、タッチパネル９０をパネル設置部１４３にセットした状態では、該タッチパネル９０の前面がガラス設置部１４２の後面と同じ位置となるようになっている(図１１参照)。従って、タッチパネル９０は、パネル設置部１４３にセットしたもとで、ガラス設置部１４２にセットしたガラス板４９を各保持ブラケット１３１,１３１により保持することで、該パネル設置部１４３にがたつきなく保持されるようになっている。なお、ガラス板４９は、パネル設置部１４３に対するタッチパネル９０の配設有無に拘わらず、保持ブラケット１３１,１３１によりガラス設置部１４２にがたつきなく保持される。なお、図１１に示すように、パネル設置部１４３に配設されたタッチパネル９０には、前枠体１５の後側に取付けられた演出表示装置７５の保持部材７８における外周壁部８５の前端が後側から当接して保持し得るよう構成されている。
【００４０】
(演出表示装置)
演出表示装置７５は、図２〜図４に示すように、演出内容を表示する表示部７７を備えた表示ユニット７６と、表示ユニット７６を後側から保持すると共に前面扉１４に取り付けられる保持部材７８とを備えている。表示ユニット７６は、略矩形状に形成されて、第１設置部４５の開口領域と略同じ大きさに構成されている。演出表示装置７５は、図１に示すように、上下略中央より上側に、画像や映像等による演出表示が可能な表示部７７が設けられると共に、該表示部７７の下側に、図柄表示装置２００の第１〜第３リールユニット２０１,２０２,２０３における各リール２０７の外周面に形成された図柄を透視可能な窓部８２,８２,８２が横並びに設けられている。
【００４１】
実施例の表示ユニット７６は、表示部７７として液晶パネルが採用されており、遊技の進行に応じて種々の画像や動画等が表示可能となっている。表示ユニット７６の表示部７７で表示する画像や動画としては、例えば各種の入賞役の成立を遊技者に報知する画像や、遊技者の興趣を向上させるようなキャラクター動画等が挙げられる。表示部７７としては、液晶パネルに限らず、有機ＥＬ（Ｅｌｅｃｔｒｏ−Ｌｕｍｉｎｅｓｃｅｎｃｅ）等であってもよい。なお、表示部７７の後側には、サブ制御装置２１２からの配線を接続するコネクタ端子８１が設けられている。
【００４２】
各窓部８２,８２,８２は、図１および図２に示すように、図柄表示装置２００の第１〜第３リールユニット２０１,２０２,２０３の前方に設けられている。各窓部８２,８２,８２は、矩形状をなし、リール２０７,２０７,２０７の外周に形成された図柄のうちの複数(実施例では３個)の図柄を透視可能な大きさに形成されており、３列×３段で合計９個の図柄が視認可能となっている。
【００４３】
保持部材７８は、図５、図６および図８に示すように、前方に開口して表示ユニット７６を収容可能な形状に形成された部材である。保持部材７８は、表示部７７の後側を覆うカバー部８３と、カバー部８３の下側に設けられて各窓部８２,８２,８２を後側へ露出させる開口部８４と、表示ユニット７６の外縁を覆う外周壁部８５とを備えている。カバー部８３は、表示ユニット７６の後面から後側へ離間して位置するように形成されており、該表示ユニット７６との間に空間を画成するようになっている。カバー部８３の前面には、左右方向および上下方向に延在すると共に前方へ延出したリブ８３ａが格子状に設けられており(図５参照)、該リブ８３ａの前端が表示ユニット７６の後面に当接可能となっていると共に、該リブ８３ａにより保持部材７８の捻れ変形や撓み変形が発現し難くなっている。また、カバー部８３には、表示ユニット７６の後側に設けられたコネクタ端子８１の下側と整合する部位に、該コネクタ端子８１に接続された配線(図示せず)を挿通する配線挿通口８６が形成されている(図８参照)。
【００４４】
(前枠体に対する演出表示装置の取付態様について)
演出表示装置７５は、図５および図８に示すように、第３取付手段１０２により、前枠体１５の第１設置部４５に着脱可能に取り付けられる。第３取付手段１０２は、前枠体１５の上枠部材４３に設けられた回転係止部材１４５,１４５と、該前枠体１５の中枠部材４４に設けられた係止凹部１４７,１４７とを備えている。夫々の回転係止部材１４５,１４５は、上枠部材４３における左枠部材４１および右枠部材４２に近接した位置において下方へ延出して形成された支持片１４６,１４６の後側に、前後に延在する回転軸に回転可能に配設されている。夫々の回転係止部材１４５,１４５は、指先操作可能な摘み状の部材であり、長手が左右方向となる挿通位置および該挿通位置から９０°回転して長手が上下方向となる係止位置とに姿勢変位する。また、夫々の係止凹部１４７,１４７は、中枠部材４４における左枠部材４１および右枠部材４２に近接した位置において、後方へ延出して下方へ凹むと共に上方へ開口した凹部である。
【００４５】
演出表示装置７５には、図５、図８および図１１に示すように、第３取付手段１０２の回転係止部材１４５,１４５に係脱可能に係止される取付台部８７,８７と、該第３取付手段１０２の係止凹部１４７,１４７に係脱可能に係止される取付凸部８８,８８とを備えている。夫々の取付台部８７,８７は、保持部材７８の上縁おける左端近傍および右端近傍において上方へ延出して形成されると共に、挿通姿勢の回転係止部材１４５の挿通が許容されると共に係止姿勢の該回転係止部材１４５の挿通が規制される前後に開口した係止孔８７ａが形成されている。係止孔８７ａは、上下開口幅より左右開口幅が大きい長孔であり、挿通位置で挿通した回転係止部材１４５を係止位置に回転させることで該回転係止部材１４５の挿通を規制する。また、夫々の取付凸部８８,８８は、保持部材７８の下縁おける左端近傍および右端近傍において下方へ突出すると共に、係止凹部１４７に上方から係脱可能に係合する形状に形成されている。
【００４６】
従って、表示ユニット７６を保持部材７８に収容保持して構成された演出表示装置７５は、図８に示すように、取付凸部８８,８８と係止凹部１４７,１４７との係止および取付台部８７,８７と回転係止部材１４５,１４５との係止に基づき、前枠体１５に設けられた第１設置部４５の開口領域に対し該表示ユニット７６を後方から対向させた姿勢で該前枠体１５に取付固定される。すなわち、前枠体１５に設けられた各回転係止部材１４５,１４５を挿通位置としたもとで、取付凸部８８,８８を係止凹部１４７,１４７に上方から夫々係止させ、回転係止部材１４５,１４５を対応の係止孔８７ａ,８７ａに夫々挿通させた後、夫々の回転係止部材１４５,１４５を係止位置に回転させることで、演出表示装置７５が前枠体１５に着脱可能に固定される。
【００４７】
(前面ユニット部材)
実施例のスロットマシン１０は、前述したように、タッチパネル９０に対する指先操作が可能に構成された第１の前面ユニット部材１１０(図１０、図１２および図１３参照)、またはタッチパネル９０に対する指先操作を不可能に構成された第２の前面ユニット部材１２０(図２参照)の何れか一方を選択的に着脱可能に構成されている。すなわち、前枠体１５のパネル設置部１４３にタッチパネル９０を取り付けると共に、該前枠体１５に第１の前面ユニット部材１１０を取り付けることで、実施例のスロットマシン１０は、演出表示装置７５の表示部７７の表示とタッチパネル９０の指先操作とを連動させた演出を実行可能に構成した仕様(以降「第１仕様」と云う)とし得る。また、前枠体１５に対するタッチパネル９０の配設を省略して、該前枠体１５に、第１可動演出装置１５０および第２可動演出装置１８０が配設された第２の前面ユニット部材１２０を取り付けることで、実施例のスロットマシン１０は、演出表示装置７５の表示部７７の演出と該表示部７７の前側での第１可動演出装置１５０および第２可動演出装置１８０の演出とを実行可能に構成した仕様(以降「第２仕様」と云う)とし得る。
【００４８】
(第１の前面ユニット部材)
第１の前面ユニット部材１１０は、図１４に示すように、前枠体１５に設けられた第１設置部４５に、該前枠体１５に設けられた第２取付手段１０１により前側から着脱可能に取り付けられるよう構成されている。第１の前面ユニット部材１１０は、矩形枠体状に構成されて前後に開口する表示窓口１１１が内側に形成されており、第１設置部４５の外周部分を前側から覆い得る形状に形成されている。すなわち、第１の前面ユニット部材１１０は、演出表示装置７５の前側に重なるように配設されるタッチパネル９０の感知領域９１と前後に重ならないように配設されると共に、前面パネル部材５５の上側に連なるように配設される。第１の前面ユニット部材１１０は、前枠体１５に固定される第１支持体１１２と、該第１支持体１１２の前側に設けられた第１装飾体１１３とを備えている。第１支持体１１２と第１装飾体１１３とは、別々に組み立てられた後に、複数のネジの締結により互いに組み付けられるよう構成されている。なお、第１の前面ユニット部材１１０は、第１支持体１１２と第１装飾体１１３とが一体をなす単一部材として構成してもよい。
【００４９】
(第１支持体)
第１の前面ユニット部材１１０における第１支持体１１２は、図１２および図１３に示すように、矩形枠状に形成されて第１装飾体１１３の後側を覆い得るようになっている。第１支持体１１２は、前枠体１５の第１設置部４５に整合する固定部１１４と、該固定部１１４に一体に形成されて、第１装飾体１１３の後側を覆うカバー部１１５とを備えている。固定部１１４は、前枠体１５における上枠部材４３の前面および外縁、左枠部材４１の前面および左側縁における第１設置部４５に対応する部分、右枠部材４２の前面および右側縁における第１設置部４５に対応する部分、中枠部材４４の前面に対向するようになっている。固定部１１４の後側には、取付ボス１１６が複数(実施例では６個)設けられている。各取付ボス１１６は、第２取付手段１０１をなすネジ挿通孔１４０に整合する位置に夫々設けられ、前後方向に延在すると共に後側に開口するネジ締結孔１１６ａが形成されている。従って、固定部１１４を前枠体１５の第１設置部４５に前方からセットし、前枠体１５の夫々のネジ挿通孔１４０に後方から挿通させた取付ネジ１４１を、該ネジ挿通孔１４０に対応する取付ボス１１６のネジ締結孔１１６ａに締結することで、第１支持体１１２が前枠体１５の第１設置部４５に固定されるよう構成されている。
【００５０】
(第１装飾体)
第１の前面ユニット部材１１０における第１装飾体１１３は、図１０、図１２および図１３に示すように、奥行きがある矩形枠体状に構成された外周装飾部１１７を備えている。外周装飾部１１７は、上装飾壁１１７ａ、左装飾壁１１７ｂ、右装飾壁１１７ｃおよび下装飾壁１１７ｄからなり、各装飾壁１１７ａ,１１７ｂ,１１７ｃ,１１７ｄは、外方に臨む外周壁部および該外周壁部に前部で連設されて表示窓口１１１に臨む内周壁部から構成されて、外周壁部と内周壁部との間に空間が画成されている。外周装飾部１１７の各構成部材は、着色された材料から形成されるか、または成形後に塗装され、光透過性を有していると共に、外面が所要の凹凸模様等が付されている。また、外周装飾部１１７における空間に臨む内面は光拡散処理が施されていると共に、該空間内には所定数の発光基板(図示せず)が配設されており、該発光基板の発光部が発光することで外周装飾部１１７が明輝するようになっている。なお、外周装飾部１１７は、上装飾壁１１７ａの前後幅が下装飾壁１１７ｄの前後幅より大きくなっており、左装飾壁１１７ｂおよび右装飾壁１１７ｃは、上装飾壁１１７ａに連設する上部から上下中央までは前後幅が略同じで、上下中央から下方に行くにつれて前後幅が徐々に小さくなっている。
【００５１】
第１支持体１１２と第１装飾体１１３とを組み付けて構成された第１の前面ユニット部材１１０は、図１４に示すように、前枠体１５の第１設置部４５に前方からセットし、前枠体１５の夫々のネジ挿通孔１４０に後方から挿通させた取付ネジ１４１を、第１支持体１１２の固定部１１４に設けられて該ネジ挿通孔１４０に対応する取付ボス１１６のネジ締結孔１１６ａに締結することで、当該第１の前面ユニット部材１１０が前枠体１５の第１設置部４５に取り付けられる(図１４では、第１装飾体１１３を省略してある)。そして、第１の前面ユニット部材１１０を前枠体１５の第１設置部４５に取り付けた場合には、該第１の前面ユニット部材１１０の前後に開口した表示窓口１１１を介し、演出表示装置７５の前側に重なるように取り付けられたタッチパネル９０に対する指先操作が可能となる。
【００５２】
そして、第１の前面ユニット部材１１０を前枠体１５の第１設置部４５に固定している各取付ネジ１４１を取付ボス１１６から取り外すことで、該第１の前面ユニット部材１１０が該前枠体１５から取り外し可能である。
【００５３】
(第２の前面ユニット部材)
第２の前面ユニット部材１２０は、図９に示すように、前枠体１５に設けられた第１設置部４５に、該前枠体１５に設けられた第２取付手段１０１により前側から着脱可能に取り付けられるよう構成されている。第２の前面ユニット部材１２０は、図１〜図３に示すように、後方へ開口する矩形箱体状に構成されており、第１設置部４５の前側全体を前側から覆い得る形状に形成されている。すなわち、第２の前面ユニット部材１２０は、演出表示装置７５と前後に重なると共に該演出表示装置７５の前面全体を覆うように配設されると共に、前面パネル部材５５の上側に連なるように配設される。第２の前面ユニット部材１２０は、前枠体１５に固定される第２支持体１２１と、該第２支持体１２１の前側に設けられた第２装飾体１２２とを備えている。第２支持体１２１と第２装飾体１２２とは、別々に組み立てられた後に互いに組み付けられるよう構成されている。なお、第２の前面ユニット部材１２０は、第２支持体１２１と第２装飾体１２２とが一体をなす単一部材として構成したものであってもよい。
【００５４】
(第２支持体)
第２の前面ユニット部材１２０における第２支持体１２１は、図２に示すように、矩形枠状に形成されて第２装飾体１２２の後側を覆い得るようになっている。第２支持体１２１は、前枠体１５の第１設置部４５に整合する固定部１２３と、該固定部１２３に一体に形成されて、後述する第１および第２可動演出装置１５０,１８０、発光基板および中継基板１２９等が取り付けられる取付台部１２４とを備えている。固定部１２３は、前枠体１５における上枠部材４３の前面および外縁、左枠部材４１の前面および左側縁における第１設置部４５に対応する部分、右枠部材４２の前面および右側縁における第１設置部４５に対応する部分、中枠部材４４の前面に対向するようになっている。固定部１２３の後側には、前枠体１５に設けられた第２取付手段１０１であるネジ挿通孔１４０に対応する取付ボス１２５が複数(実施例では６個)設けられている。夫々の取付ボス１２５は、各ネジ挿通孔１４０に整合する位置に夫々設けられ、前後方向に延在すると共に後側に開口するネジ締結孔１２５ａが形成されている。従って、固定部１２３を前枠体１５の第１設置部４５に前方からセットし、前枠体１５の夫々のネジ挿通孔１４０に後方から挿通させた取付ネジ１４１を、該ネジ挿通孔１４０に対応する取付ボス１２５のネジ締結孔１２５ａに締結することで、第２支持体１２１が前枠体１５の第１設置部４５に固定される。すなわち、第２の前面ユニット部材１２０の第２支持体１２１に設けられた各取付ボス１２５は、前述した第１の前面ユニット部材１１０の第１支持体１１２に設けられた各取付ボス１１６と同じ位置かつ形状に形成されている。
【００５５】
第２支持体１２１の取付台部１２４は、図９に示すように、上取付部１２４ａ、左取付部１２４ｂ、右取付部１２４ｃおよび下取付部１２４ｄから構成されて矩形枠状に形成され、各取付部１２４ａ,１２４ｂ,１２４ｃ,１２４ｄの内側が開口している。取付台部１２４の各取付部１２４ａ,１２４ｂ,１２４ｃ,１２４ｄには、第１および第２可動演出装置１５０,１８０、その他の演出装置、発光基板および中継基板等を取り付けるための取付手段が設けられている。また、取付台部１２４の各取付部１２４ａ,１２４ｂ,１２４ｃ,１２４ｄには、第１および第２可動演出装置１５０,１８０、その他の演出装置、発光基板および中継基板に実装されたコネクタ端子を後側へ第２支持体１２１の後側へ露出させたり、該コネクタ端子に接続された配線を第２支持体１２１の後側へ引き出す開口が複数形成されている。
【００５６】
(第２装飾体)
第２の前面ユニット部材１２０を構成する第２装飾体１２２は、図１〜図３に示すように、後側へ開口した矩形箱体状に構成され、奥行きがある矩形枠体状に構成された外周装飾部１２６と、外周装飾部１２６の前部内縁の全体を覆う透明または半透明な前面板部１２７とを備えている。外周装飾部１２６は、上装飾壁１２６ａ、左装飾壁１２６ｂ、右装飾壁１２６ｃおよび下装飾壁１２６ｄからなり、各装飾壁１２６ａ,１２６ｂ,１２６ｃ,１２６ｄは、外方に臨む外周壁部および該外周壁部に前部で連設されて空間に臨む内周壁部から構成され、外周壁部と内周壁部との間には空間が画成されている。外周装飾部１２６の各構成部材は、着色された材料から形成されるか、または成形後に塗装され、光透過性を有していると共に、外面が所要の凹凸模様等が付されている。また、外周装飾部１２６における外周壁部と内周壁部との間の空間に臨む内面は光拡散処理が施されていると共に、該空間内には所定数の発光基板(図示せず)が配設されており、該発光基板の発光部が発光することで外周装飾部１２６が明輝するようになっている。そして、外周装飾部１２６は、上装飾壁１２６ａの前後幅が下装飾壁１２６ｄの前後幅より大きくなっており、左装飾壁１２６ｂおよび右装飾壁１２６ｃは、上装飾壁１２６ａに連設する上部から上下中央までは前後幅が略同じで、上下中央から下方に行くにつれて前後幅が徐々に小さくなっている。なお、外周装飾部１２６は、複数の構成部材を組み付けて構成したり、単一部材で構成してもよい。
【００５７】
前面板部１２７は、図２および図３に示すように、外周装飾部１２６の前縁に連なっている。すなわち前面板部１２７は、左装飾壁１２６ｂの前縁および右装飾壁の前縁形状に合わせて、上下略中央において折曲しており、上装飾壁１２６ａに連なる上縁から折曲部分までは略垂直となっており、該折曲部分から下装飾壁１２６ｄに連なる下縁までは下方に行くにつれて後方へ変位するよう後方傾斜している。そして、前面板部１２７は、演出表示装置７５の表示部７７および各窓部８２,８２,８２の前側に重なるように配設されている。すなわち、前面板部１２７は、第１〜第３リールユニット２０１,２０２,２０３と前後に重なるように配設されている。また前面板部１２７は、演出表示装置７５の前面から前側へ離間した位置に配設されている。
【００５８】
第２の前面ユニット部材１２０は、図１および図２に示すように、前枠体１５に当接する第２支持体１２１と前面板部１２７との間(前面板部１２７と演出表示装置７５の前面との間)に、図柄表示装置２００の第１〜第３リールユニット２０１,２０２,２０３の図柄組合せ演出に連動した演出を行い得る第１可動演出装置(演出装置)１５０および第２可動演出装置(演出装置)１８０が配設可能に構成されている。すなわち、第２の前面ユニット部材１２０は、前面板部１２７の後側において外周装飾部１２６で囲まれた部分に、第１可動演出装置１５０および第２可動演出装置１８０を収容した状態で配設可能な収容部１２８が画成されている。ここで収容部１２８は、演出表示装置７５の表示部７７の前側に位置している(各窓部８２の前側から外れて位置しており)。そして収容部１２８は、図１および図２に示すように、第１および第２可動演出装置１５０,１８０の可動体１５２,１５３,１８２の移動が可能に画成されており、該第１および第２可動演出装置１５０,１８０の可動体１５２,１５３,１８２が表示部７７の前側まで移動するのを許容するように構成されている。
【００５９】
第２支持体１２１と第２装飾体１２２とを組み付けると共に、収容部１２８に収容した状態で第１可動演出装置１５０および第２可動演出装置１８０を第２支持体１２１に取り付けて構成された第２の前面ユニット部材１２０は、図９に示すように、前枠体１５の第１設置部４５に前方からセットし、前枠体１５の夫々のネジ挿通孔１４０に後方から挿通させた取付ネジ１４１を、第２支持体１２１の固定部１２３に設けられて該ネジ挿通孔１４０に対応する取付ボス１２５のネジ締結孔１２５ａに締結することで、当該第２の前面ユニット部材１２０が前枠体１５の第１設置部４５に取り付けられる(図９では、第２装飾体１２２を省略してある)。そして、第２の前面ユニット部材１２０を前枠体１５の第１設置部４５に取り付けた場合には、前面板部１２７が、演出表示装置７５の前面から前方へ離間して位置すると共に該演出表示装置７５の前面全体を覆うようになる。従って、第２の前面ユニット部材１２０を前枠体１５の第１設置部４５に取り付けた場合には、演出表示装置７５の前側に重なるようにタッチパネル９０が取り付けられていても、前面板部１２７により該タッチパネル９０に対する指先操作が不可能に構成される。
【００６０】
そして、第２の前面ユニット部材１２０を前枠体１５の第１設置部４５に固定している各取付ネジ１４１を取付ボス１２５から取り外すことで、該第２の前面ユニット部材１２０が該前枠体１５から取り外し可能である。ここで、第２の前面ユニット部材１２０は、第１および第２可動演出装置１５０,１８０やその他の構成部材が第２支持体１２１に取り付けられて収容部１２８に収容された状態で、前枠体１５から取り外し可能となっている。
【００６１】
(前枠体に対する各前面ユニット部材の取付態様について)
実施例のスロットマシン１０は、前述すると共に図９および図１４に示すように、タッチパネル９０に対する指先操作が可能に構成された第１の前面ユニット部材１１０(図１２、図１３参照)、または該タッチパネル９０に対する指先操作を不可能に構成された第２の前面ユニット部材１２０(図２、図３参照)の何れか一方を選択的に着脱可能な第２取付手段１０１を備えている。実施例の第２取付手段１０１は、前枠体１５における左枠部材４１、右枠部材４２および上枠部材４３に設けられている。左枠部材４１、右枠部材４２および上枠部材４３における夫々の前壁部には、該前壁部を前後に貫通する複数のネジ挿通孔１４０が設けられており、第１の前面ユニット部材１１０または第２の前面ユニット部材１２０を着脱可能に取り付ける取付ネジ１４１が挿通可能となっている。実施例では、左枠部材４１および右枠部材４２に、上下に離間した２つのネジ挿通孔１４０が設けられると共に、上枠部材４３に、左右に離間した２つのネジ挿通孔１４０が設けられ、よって前枠体１５には合計６つのネジ挿通孔１４０が設けられている。
【００６２】
そして、前述したように、第１の前面ユニット部材１１０の第１支持体１１２に設けられた取付ボス１１６と、第２の前面ユニット部材１２０の第２支持体１２１に設けられた取付ボス１２５は、前枠体１５の左枠部材４１、右枠部材４２および上枠部材４３に設けられたネジ挿通孔１４０に夫々整合するようになっている。これにより、前枠体１５の左枠部材４１、右枠部材４２および上枠部材４３に設けられた各ネジ挿通孔１４０に挿通する取付ネジ１４１は、第１の前面ユニット部材１１０の取り付けおよび第２の前面ユニット部材１２０の取り付けに共通に使用される。そして、第１の前面ユニット部材１１０の取付ボス１１６または第２の前面ユニット部材１２０の取付ボス１２５に締結された取付ネジ１４１を取り外すことで、前枠体１５の第１設置部４５に取り付けられていた第１前面ユニット部材１１０または第２前面ユニット部材１２０を容易に取り外すことが可能となっており、両前面ユニット部材１１０,１２０の着脱を伴う交換作業を容易に行い得るよう構成されている。
【００６３】
(可動演出装置について)
実施例のスロットマシン１０は、第２の前面ユニット部材１２０に、収容部１２８に収容された状態で、複数(実施例では２基)の可動演出装置(第１可動演出装置１５０および第２可動演出装置１８０)が配設されている。ここで、第１可動演出装置１５０および第２可動演出装置１８０について概略説明する。
【００６４】
(第１可動演出装置)
第１可動演出装置１５０は、図１〜図３に示すように、第２の前面ユニット部材１２０の第２支持体１２１における取付台部１２４の上側部分に取り付けられて、該第２の前面ユニット部材１２０に形成された収容部１２８内に収容されている。第１可動演出装置１５０は、第２支持体１２１の取付台部１２４に取り付けられる固定ベース体１５１と、該固定ベース体１５１に対して左右に並んで移動可能に配設された第１可動体１５２および第２可動体１５３とを備えている。第１、第２可動体１５２,１５３は、サブ制御装置２１２により制御される移動機構を個別に備えており、収容部１２８内において、左右に離間した第１位置(図１)および該第１位置から中央に離間した第２位置の間を往復移動するよう構成され、第１、第２可動体１５２,１５３は、第２位置において表示部７７の前側に位置するようになっている。
【００６５】
(第２可動演出装置)
第２可動演出装置１８０は、図１〜図３に示すように、第２の前面ユニット部材１２０の第２支持体１２１における取付台部１２４の上取付部１２４ａに取り付けられて、該第２の前面ユニット部材１２０に形成された収容部１２８内に収容される。第２可動演出装置１８０は、第２支持体１２１の取付台部１２４に取り付けられる固定体１８１と、固定体１８１に重なる第１初期位置(図１)および該第１初期位置から下方に離間した第１移動位置の間を移動可能な可動体１８２とを備えている。そして、可動体１８２は、サブ制御装置２１２による作動制御に基づき、収容部１２８内において、第１初期位置および第１移動位置の間を往復移動するよう構成され、第１移動位置において表示部７７の前側に位置するようになっている。なお、第１可動演出装置１５０および第２可動演出装置１８０は、同時に作動せずに、何れか一方が作動した場合に他方は作動しないようになっている。
【００６６】
(実施例の作用)
次に、前述のように構成された実施例のスロットマシン１０の作用について説明する。実施例のスロットマシン１０は、製造時において、演出表示装置７５の表示部７７の表示とタッチパネル９０の指先操作とを連動させた演出を実行可能に構成した第１仕様、またはタッチパネルによる操作機能を備えず、演出表示装置７５の表示部７７のみの演出を実行可能に構成した第２仕様の何れか一方に選択的に構成可能となっている。
【００６７】
(第１仕様に構成する場合)
実施例のスロットマシン１０を第１仕様とする場合には、保持ブラケット１３１,１３１により、前枠体１５に設けられたパネル設置部１４３に対してタッチパネル９０を前側から取り付けると共に、該前枠体１５に設けられたガラス設置部１４２に対してガラス板４９を前側から取り付ける。また、回転係止部材１４５および係止凹部１４７を利用して、演出表示装置７５を前枠体１５の後側に取り付ける。これによりタッチパネル９０は、図１１に示すように、演出表示装置７５とガラス板４９との間に保持されて、該演出表示装置７５の前側に位置する。そして、別工程で予め組み立てられてユニット化された第１の前面ユニット部材１１０を、ネジ挿通孔１４０および取付ネジ１４１を利用して前枠体１５の前側に取り付ける。これにより、図１０に示すように、第１の前面ユニット部材１１０の表示窓口１１１を介して演出表示装置７５の表示部７７および各窓部８２,８２,８２が視認可能となり、表示部７７での演出表示や、図柄表示装置２００の第１〜第３リールユニット２０１,２０２,２０３の各リール２０７が視認可能となる。また、第１の前面ユニット部材１１０の表示窓口１１１を介して、タッチパネル９０の感知領域９１において指先の近接位置が感知可能となり、スロットマシン１０は第１仕様に構成される。
【００６８】
(第２仕様に構成する場合)
実施例のスロットマシン１０を第２仕様とする場合には、保持ブラケット１３１,１３１により、前枠体１５に設けられたガラス設置部１４２に対してガラス板４９を前側から取り付ける。また、回転係止部材１４５および係止凹部１４７を利用して、演出表示装置７５を前枠体１５の後側に取り付ける(図５参照)。そして、別工程において、第１可動演出装置１５０および第２可動演出装置１８０を収容部１２８に収容した状態に取り付けられると共に、その他の構成部材を取り付けてユニット化された第２の前面ユニット部材１２０を、ネジ挿通孔１４０および取付ネジ１４１を利用して前枠体１５の前側に取り付ける。これにより、図１および図２に示すように、第２の前面ユニット部材１２０の前面板部１２７を介して演出表示装置７５の表示部７７および各窓部８２,８２,８２が視認可能となり、表示部７７での演出表示や、図柄表示装置２００の第１〜第３リールユニット２０１,２０２,２０３の各リール２０７が視認可能となる。また、第２の前面ユニット部材１２０の前面板部１２７を介して、収容部１２８に収容した第１可動演出装置１５０の第１可動体１５２および第２可動体１５３や、第２可動演出装置１８０の可動体１８２が視認可能となり、スロットマシン１０は第２仕様に構成される。
【００６９】
実施例のスロットマシン１０では、メダル投入口５９にメダルを投入するか、１ベットボタン６０またはＭＡＸベットボタン６１を操作すると、スタートレバー６３が有効化される。そして、有効化されたスタートレバー６３を操作すると、これに伴ってゲームが開始される。また、ゲームが開始されると、メイン制御装置２１１において入賞役に当選か否かを決定する入賞役抽選が実行されて複数種類の入賞役の何れかまたははずれが決定されると共に、第１〜第３リールユニット２０１,２０２,２０３の各リール２０７の回転が開始される。その後、各第１〜第３ストップボタン６４,６５,６６が有効化され、有効化された第１〜第３ストップボタン６４,６５,６６が操作されると、操作された第１〜第３ストップボタン６４,６５,６６に対応する第１〜第３リールユニット２０１,２０２,２０３のリール２０７の回転が停止される。そして、第１〜第３リールユニット２０１,２０２,２０３のリール２０７が全て停止することで１回のゲームが終了し、このゲームの結果、入賞役抽選で当選した入賞役に対応する図柄の組合わせが窓部８２,８２,８２に揃うと、入賞した入賞役に対応付けられた処理が実行される。
【００７０】
ここで、第１仕様のスロットマシン１０の場合は、メイン制御装置２１１のメイン制御基板での入賞役抽選結果が、サブ制御装置２１２のサブ制御基板に送信される。サブ制御装置２１２のサブ制御基板は、メイン制御装置２１１から受信した入賞役抽選結果に基づき、演出表示装置７５における表示ユニット７６の表示部７７での演出表示内容や、照明装置６８を含む照明装置の演出内容や、スピーカ７０での演出内容等を決定して、決定した内容に基づいて夫々を作動制御する。また、サブ制御装置２１２は、演出表示装置７５の表示部７７の演出表示とタッチパネル９０の指先操作とを連動させた演出の実行を決定した場合には、演出表示装置７５の表示部７７において、遊技者に対してタッチパネル９０の使用を示唆する表示を行う。これにより、第１仕様のスロットマシン１０では、第１の前面ユニット部材１１０の表示窓口１１１を介して遊技者によるタッチパネル９０を利用した遊技が可能であるから、演出表示装置７５の表示部７７の演出表示とタッチパネル９０の指先操作とを連動させた演出が実行される。
【００７１】
一方、第２仕様のスロットマシン１０の場合は、メイン制御装置２１１のメイン制御基板での入賞役抽選結果が、サブ制御装置２１２のサブ制御基板に送信される。サブ制御装置２１２のサブ制御基板は、メイン制御装置２１１から受信した入賞役抽選結果に基づき、演出表示装置７５における表示ユニット７６の表示部７７での演出表示内容や、照明装置６８を含む照明装置の演出内容や、スピーカ７０での演出内容や、第１および第２可動演出装置１５０,１８０の作動有無等を決定して、決定した内容に基づいて夫々を作動制御する。これにより、第２仕様のスロットマシン１０では、演出表示装置７５の表示部７７の演出表示と、第１、第２可動演出装置１５０,１８０の演出が実行される。
【００７２】
実施例のスロットマシン１０は、第１仕様から第２仕様への変更や、第２仕様から第１仕様への変更を容易に行い得るよう構成されている。
【００７３】
(第１仕様から第２仕様への変更)
スロットマシン１０を第１仕様から第２仕様へ変更する場合には、ネジ挿通孔１４０に挿通させた取付ネジ１４１を利用して前枠体１５に取り付けられていた第１の前面ユニット部材１１０を、各取付ネジ１４１を緩めて外すことで該前枠体１５から取り外す。また、保持ブラケット１３１,１３１により前枠体１５のパネル設置部１４３に配設されていたタッチパネル９０を、該保持ブラケット１３１,１３１を外すことで該前枠体１５から取り外す。そして、第１可動演出装置１５０および第２可動演出装置１８０を収容部１２８に収容した状態に取り付けられると共に、その他の構成部材を取り付けてユニット化された第２の前面ユニット部材１２０を、第１の前面ユニット部材１１０を前枠体１５に取り付ける際に使用していた取付ネジ１４１を利用して前枠体１５の前側に取り付けることで、スロットマシン１０が第２仕様に変更される。
【００７４】
なお、第２の前面ユニット部材１２０は、前面板部１２７が演出表示装置７５の前面から前方へ離間して位置しており、該演出表示装置７５の前側にタッチパネル９０が重ねて取り付けられていたとしても、該タッチパネル９０の感知領域９１に対する指先操作を行い得ないように構成されている。従って、第１仕様から第２仕様への変更に際しては、タッチパネル９０を前枠体１５のパネル設置部１４３に取り付けた状態としても支障がない。
【００７５】
(第２仕様から第１仕様への変更)
スロットマシン１０を第２仕様から第１仕様へ変更する場合には、ネジ挿通孔１４０に挿通した取付ネジ１４１により前枠体１５に取り付けられていた第２の前面ユニット部材１２０を、該取付ネジ１４１を緩めて外すことで該前枠体１５から取り外す。そして、タッチパネル９０を、前枠体１５のパネル設置部１４３に対し、保持ブラケット１３１,１３１を利用して該前枠体１５の前側に取り付ける。保持ブラケット１３１,１３１を利用してパネル設置部１４３に取り付けたタッチパネル９０は、演出表示装置７５と前後に重なって該演出表示装置７５の前側に位置する。次いで、別工程で予め組み立てられてユニット化された第１の前面ユニット部材１１０を、第２の前面ユニット部材１２０を前枠体１５に取り付ける際に使用していた取付ネジ１４１を利用して前枠体１５の前側に取り付けることで、スロットマシン１０が第１仕様に変更される。
【００７６】
前述したように、実施例のスロットマシン１０においては、前枠体１５に着脱可能に取り付けられる第２の前面ユニット部材１２０が、透明または半透明な前面板部１２７の後側に収容部１２８を画成し、第１可動演出装置１５０および第２可動演出装置１８０が該収容部１２８内に収容した状態で前枠体１５に取り付けられるよう構成した。これにより、実施例のスロットマシン１０は、前枠体１５に対する第２の前面ユニット部材１２０の着脱および第１および第２可動演出装置１５０,１８０の着脱を同時に行うことができ、遊技内容やデザインの変更作業を効率よく行うことができる。そして、第１可動演出装置１５０の第１可動体１５２および第２可動体１５３や、第２可動演出装置１８０の可動体１８２が、スロットマシン１０の前側に位置する第２の前面ユニット部材１２０の前面板部１２７に近接した位置(直ぐ後側)を移動するので、迫力ある演出が行われて演出効果を高めることができる。また、前枠体１５に配設した演出表示装置７５の表示部７７が、第２の前面ユニット部材１２０の前面板部１２７を介して視認されるので、該表示部７７の視認性を向上させ得る。
【００７７】
そして、第２の前面ユニット部材１２０を装着した第２仕様のスロットマシン１０では、第１可動演出装置１５０の第１可動体１５２および第２可動体１５３や、第２可動演出装置１８０の可動体１８２が、収容部１２８内において演出表示装置７５の表示部７７の前方まで移動するので、表示部７７での演出表示と各可動体１５２,１５３,１８２の移動とを関連させた演出が可能となり、演出効果を向上させ得る。また、表示部７７の前方を各可動体１５２,１５３,１８２が移動するので、立体感がある演出を行うことができる。
【００７８】
一方、第１の前面ユニット部材１１０を装着した第１仕様のスロットマシン１０では、第１の前面ユニット部材１１０が、表示窓口１１１内の後側に図柄表示装置２００が位置する大きなサイズに形成されるので、該第１の前面ユニット部材１１０がスロットマシン１０の前側に広く露出して装飾効果を高めることができる。同様に、第２の前面ユニット部材１２０を装着した第２仕様のスロットマシン１０では、第２の前面ユニット部材１２０が、前面板部１２７が図柄表示装置２００の前側に位置する大きなサイズに形成されるので、該第２の前面ユニット部材１２０がスロットマシン１０の前側に広く露出して装飾効果を高めることができる。
【００７９】
そして、実施例のスロットマシン１０は、演出表示装置７５が配設される前枠体１５に、手動操作手段としてのタッチパネル９０および第１の前面ユニット部材１１０を、第１取付手段１００および第２取付手段１０１により夫々取り付けることで、演出表示装置７５の表示部７７の演出表示とタッチパネル９０の指先操作とを連動させた演出を実行可能に構成した第１仕様のスロットマシンとし得る。また、演出表示装置７５が配設される前枠体１５に、第２の前面ユニット部材１２０を第２取付手段１０１により取り付けることで、演出表示装置７５の表示部７７の演出および第１、第２可動演出装置１５０,１８０の演出を実行可能な第２仕様のスロットマシンとし得る。そして、タッチパネル９０を備えた第１仕様のスロットマシン１０は、タッチパネル９０および第１の前面ユニット部材１１０を前枠体１５から取り外して、第２の前面ユニット部材１２０を第２取付手段１０１により前枠体１５に取り付けることで、演出表示装置７５の表示部７７の演出および第１、第２可動演出装置１５０,１８０の演出を実行可能な第２仕様のスロットマシン１０へ容易に変更し得る。また、タッチパネル９０を装備しない第２仕様のスロットマシン１０は、第２の前面ユニット部材１２０を前枠体１５から取り外し、タッチパネル９０および第１の前面ユニット部材１１０を第１取付手段１００および第２取付手段１０１により前枠体１５に取り付けることで、演出表示装置７５の表示部７７の演出とタッチパネル９０の指先操作とを連動させた演出を実行可能な第１仕様のスロットマシン１０へ容易に変更し得る。
【００８０】
そして、第１の前面ユニット部材１１０および第２の前面ユニット部材１２０は、演出表示装置７５を前枠体１５の後側に取り付けた状態で該前枠体１５に対して前側から着脱し得るので、前枠体１５に対する第１の前面ユニット部材１１０および第２の前面ユニット部材１２０の着脱作業を容易に行い得る。また、演出表示装置７５は、第１の前面ユニット部材１１０または第２の前面ユニット部材１２０を前枠体１５の前側に取り付けた状態で該前枠体１５に対して後側から着脱し得るので、前枠体１５に対する演出表示装置７５の着脱作業を容易に行い得る。
【００８１】
〔変更例〕
本発明に係る遊技機は、実施例に例示の形態に限らず種々の変更が可能である。
（１）第２の前面ユニット部材の収容部に収容した状態で該第２の前面ユニット部材に取り付けられる可動演出装置は、１基または３基以上であってもよい。
（２）第２の前面ユニット部材の収容部に収容する可動演出装置は、可動体が該収容部内で移動可能なものであれば、可動体の可動態様は実施例で例示したものに限らない。
（３）第２の前面ユニット部材の収容部は、演出表示装置の表示部と前後に重ならない位置に設けたものであってもよい。
（４）手動操作手段は、実施例で例示したタッチパネルに限らず、指先操作が可能なボタン、スイッチまたはセンサ等であってもよい。
（５）手動操作手段を前枠体に着脱可能に取り付ける第１取付手段、第１または第２の前面ユニット部材を前枠体に着脱可能に取り付ける第２取付手段、演出表示装置を前枠体に着脱可能に取り付ける第３取付手段は、実施例で例示した形状や形態に限るものではない。例えば、第１または第２の前面ユニット部材を前枠体に着脱可能に取り付ける第２取付手段においては、第３取付手段の如き構成を採用してもよいし、手動操作手段を前枠体に着脱可能に取り付ける第１取付手段は、第２取付手段の如き構成を採用してもよい。
（６）第２の前面ユニット部材は、前面板部が図柄表示装置と前後に重ならない形状、サイズであってもよい。
（７）第１の前面ユニット部材は、手動操作手段の直前に位置する前面板部を設けた場合でも該手動操作手段に対する指先操作が可能であれば、該前面板部を備えたものであってもよい。
（８）実施例では、サブ制御装置により第１可動演出装置および第２可動演出装置を作動制御するようにしたが、メイン制御装置により各可動演出装置を作動制御するようにしてもよい。
（９）実施例では、遊技機としてのスロットマシンを示したが、可動演出装置が配設される遊技機はスロットマシンに限られるものではなく、パチンコ機やアレンジボール機等であってもよい。すなわち、本願発明は、固定枠としての外枠の開口前面側に開閉および着脱可能に組み付けられ、図柄組合せ演出を行う表示装置が配設された遊技盤を着脱可能に保持する本体枠としての中枠を有する本体と、該本体における中枠の前面側に開閉可能に組み付けられ、遊技盤を透視保護可能に構成された装飾枠としての前枠からなる前側部材とを備えたパチンコ機において、透明または半透明な前面板部を有する前面ユニット部材としての前面装飾部材が、前枠の前側に配設されたパチンコ機も対象とされる。
（１０）実施例では、筐体と前面扉との間に支持枠体が配設されて、図柄表示装置および制御装置を該支持枠体に配設して構成されたスロットマシンを例示したが、支持枠体を装備せずに、図柄表示装置および制御装置が筐体内に設置されたスロットマシンであってもよい。
【符号の説明】
【００８２】
１２ 筐体(本体)
１４ 前面扉(前側部材)
７５ 演出表示装置
７７ 表示部
９０ タッチパネル(手動操作手段)
１００ 第１取付手段
１０１ 第２取付手段
１２０ 第２の前面ユニット部材(前面ユニット部材)
１２７ 前面板部
１２８ 収容部
１１０ 第１の前面ユニット部材
１５０ 第１可動演出装置(可動演出装置)
１５２ 第１可動体(可動体)
１５３ 第２可動体(可動体)
１８０ 第２可動演出装置(可動演出装置)
１８２ 第１可動体(可動体)
２００ 図柄表示装置(表示装置)
【図１】
0006291385.tif 000002
【図２】
0006291385.tif 000003
【図３】
0006291385.tif 000004
【図４】
0006291385.tif 000005
【図５】
0006291385.tif 000006
【図６】
0006291385.tif 000007
【図７】
0006291385.tif 000008
【図８】
0006291385.tif 000009
【図９】
0006291385.tif 000010
【図１０】
0006291385.tif 000011
【図１１】
0006291385.tif 000012
【図１２】
0006291385.tif 000013
【図１３】
0006291385.tif 000014
【図１４】
0006291385.tif 000015